(57)【要約】【課題】ＰＵＣＣＨの無線リソース割り当て方法及び無線リソース管理装置を提供する。【解決手段】該方法は、無線リソース管理装置がリソースプールを生成するステップと、無線リソース管理装置が、リソースプール中のＰＵＣＣＨリソースをその生成順に応じて配列し、ポインタを一番目のＰＵＣＣＨリソースにセットするステップと、無線リソース管理装置が、現在ポインタがセットされているＰＵＣＣＨリソースを端末に割り当て、ポインタを次のＰＵＣＣＨリソースにセットするステップと、を含む。本発明によると、リソースを割り当てるたびにリソースを検索する必要がなく、リソース検索の時間を節約し、リソース検索が簡単であって、システムの複雑度を大幅に低減することができる。【選択図】図１
2013521731.tif 000002
【特許請求の範囲】
【請求項１】
無線リソース管理装置によりリソースプールを生成するステップと、
前記無線リソース管理装置により、前記リソースプール中のＰＵＣＣＨリソースをその生成順に応じて配列し、ポインタを一番目の前記ＰＵＣＣＨリソースにセットするステップと、
前記無線リソース管理装置により、現在前記ポインタがセットされているＰＵＣＣＨリソースを端末に割り当て、前記ポインタを次のＰＵＣＣＨリソースにセットするステップと、
を含む物理アップリンク制御チャンネルＰＵＣＣＨの無線リソース割り当て方法。
【請求項２】
無線リソース管理装置によりリソースプールを生成するステップは、
前記無線リソース管理装置がＰＵＣＣＨのコード分割リソースと、周波数分割リソースと、時間分割リソースとを組み合わせて前記リソースプールを生成するステップを含むことを特徴とする請求項１に記載の方法。
【請求項３】
前記無線リソース管理装置により、前記ＰＵＣＣＨのコード分割リソースと、周波数分割リソースと、時間分割リソースとを組み合わせて前記リソースプールを生成するステップは、
下式に従って、シグナリング類型に対応するコード分割リソースと、周波数分割リソースと、時間分割リソースとを組み合わせてＰＵＣＣＨリソースＳを生成するステップと、
生成された全てのＰＵＣＣＨリソースＳによって前記リソースプールを形成するステップと、
を含み
2013521731.tif 000009
又は
2013521731.tif 000010
ここで、Ｒは周波数分割リソースで、Ｔは時間分割リソースで、Ｕはコード分割リソースで、ＳはＰＵＣＣＨリソースであることを特徴とする請求項２に記載の方法。
【請求項４】
前記無線リソース管理装置により、前記リソースプール中のＰＵＣＣＨリソースをその生成順に応じて配列し、ポインタを一番目の前記ＰＵＣＣＨリソースにセットするステップは、
前記無線リソース管理装置が前記リソースプール中の各ＰＵＣＣＨリソースをその生成順に従って配列するステップと、
前記無線リソース管理装置が単調順で配列後のＰＵＣＣＨリソースに順番を付けるステップと、
前記無線リソース管理装置が前記ポインタを順番が開始順番であるＰＵＣＣＨリソースにセットするステップと、を含むことを特徴とする請求項１ないし３のいずれか１項に記載の方法。
【請求項５】
前記端末がＰＵＣＣＨリソースをリリーズするステップと、
前記無線リソース管理装置により前記リリーズされたＰＵＣＣＨリソースを回収プールに移入するステップと、をさらに含むことを特徴とする請求項４に記載の方法。
【請求項６】
前記リソースプール中の残留したＰＵＣＣＨリソースの数が所定の数に達した場合、前記無線リソース管理装置が前記回収プール中のＰＵＣＣＨリソースをその順番に応じて前記単調順で配列するステップと、
前記無線リソース管理装置により、前記配列後の前記回収プール中のＰＵＣＣＨリソースを前記リソースプールに合併するステップと、を更に含むことを特徴とする請求項５に記載の方法。
【請求項７】
前記無線リソース管理装置により、前記配列後の前記回収プール中のＰＵＣＣＨリソースを前記リソースプールに合併するステップは、
前記無線リソース管理装置が前記配列後の前記回収プール中のＰＵＣＣＨリソースを前記リソースプールにおける現在前記ポインタがセットされているＰＵＣＣＨリソースの前に移入するステップと、
前記無線リソース管理装置が前記ポインタを合併後の前記リソースプールにおける一番目のＰＵＣＣＨリソースにセットするステップと、を含むことを特徴とする請求項６に記載の方法。
【請求項８】
前記リソースプール中の残留したＰＵＣＣＨリソースの数が所定の数に達したか否かを判断する手法は、
現在前記ポインタがセットされているＰＵＣＣＨリソースの順番が所定の順番に達したか否かを判断することであることを特徴とする請求項６に記載の方法。
【請求項９】
リソースプールを生成するリソースプール生成ブロックと、
前記リソースプールにおける物理アップリンク制御チャンネルＰＵＣＣＨのリソースをその生成順に応じて配列し、ポインタを一番目のＰＵＣＣＨリソースにセットする配列ブロックと、
現在前記ポインタがセットされているＰＵＣＣＨリソースを端末に割り当て、前記ポインタを次のＰＵＣＣＨリソースにセットする割り当てブロックと、
を含むことを特徴とする無線リソース管理装置。
【請求項１０】
前記リソースプール生成ブロックが、ＰＵＣＣＨのコード分割リソースと、周波数分割リソースと、時間分割リソースとを組み合わせて前記リソースプールを生成することを特徴とする請求項９に記載の無線リソース管理装置。
【発明の詳細な説明】
【技術分野】
【０００１】
本発明は、通信分野に関し、具体的には、ＰＵＣＣＨ（Ｐｈｙｓｉｃａｌ  Ｕｐｌｉｎｋ  Ｃｏｎｔｒｏｌ  Ｃｈａｎｎｅｌ：物理アップリンク制御チャンネル）の無線リソース割り当て方法及び無線リソース管理装置に関する。
【背景技術】
【０００２】
ＬＴＥ（Ｌｏｎｇ  Ｔｅｒｍ  Ｅｖｏｌｕｔｉｏｎ：長期進化技術）において、ＰＵＣＣＨは、Ｆｏｒｍａｔ１、Ｆｏｒｍａｔ１ａ、Ｆｏｒｍａｔ１ｂの三種類のフォーマットを備える第１種類と、Ｆｏｒｍａｔ２、Ｆｏｒｍａｔ２ａ、Ｆｏｒｍａｔ２ｂの三種類のフォーマットを備える第２種類との二種類、六フォーマットに分けられる。第１種類のＰＵＣＣＨは、ＳＲ（Ｓｃｈｅｄｕｌｉｎｇ  Ｒｅｑｕｅｓｔ：スケジューリング要求）と、ＡＣＫ（Ａｃｋｎｏｗｌｅｄｇｅ：肯定応答）と、ＮＡＣＫ（Ｎｏｎ−Ａｃｋｎｏｗｌｅｄｇｅ：否定応答）シグナリングの転送に用いられ、その中、Ｆｏｒｍａｔ１はＳＲの転送に、Ｆｏｒｍａｔ１ａはシングルコードワードストリームのＡＣＫ/ＮＡＣＫの転送に、Ｆｏｒｍａｔ１ｂは双コードワードストリームのＡＣＫ/ＮＡＣＫの転送に用いられる。第２種類のＰＵＣＣＨは、ＣＱＩ（Ｃｈａｎｎｅｌ  Ｑｕａｌｉｔｙ  Ｉｎｄｉｃａｔｏｒ：チャンネル品質インジケータ）の転送に用いられ、その中、Ｆｏｒｍａｔ２はＣＱＩの転送のみに用いられ、Ｆｏｒｍａｔ２ａは同時にＣＱＩとシングルコードワードストリームのＡＣＫ/ＮＡＣＫとを転送し、Ｆｏｒｍａｔ２ｂは同時にＣＱＩと双コードワードストリームのＡＣＫ/ＮＡＣＫを転送する。第１種類のＰＵＣＣＨにおけるＦｏｒｍａｔ１ａ、Ｆｏｒｍａｔ１ｂの第１のタイムスロット内に占めるＲＢ（Ｒｅｓｏｕｒｃｅ  Ｂｌｏｃｋ：リソースブロック）の数はダウンリンク制御チャンネルユニットの数（ＣＣＥ，Ｃｏｎｔｒｏｌ  Ｃｈａｎｎｅｌ  Ｅｌｅｍｅｎｔ）と関連付けられ、動的に変化する。第１種類のＰＵＣＣＨにおけるＦｏｒｍａｔ１と第２種類のＰＵＣＣＨの一つのタイムスロット内に占めるＲＢの数は、ＵＥ（ユーザ端末）がネットワークにアクセスする際に基地局の無線リソース管理装置によりＵＥに割り当てられるものである。
【０００３】
現在、関連技術において、ＰＵＣＣＨにおける無線リソースの割り当て方法を提供していて、その中、ＰＵＣＣＨにおけるＳＲリソースの割り当てを例とすれば、その具体的な実施プロセスは以下の通りである。
【０００４】
開始する際、基地局の無線リソース管理装置がリソースプールを生成し、ＵＥがネットワークにアクセスされた場合、無線リソース管理装置はリソースプールを検索し、未利用のリソースを一つ検索して該ＵＥに割り当てると共に、該リソースを利用状態に設定する。ＵＥが該リソースをリリーズする場合、無線リソース管理装置は該リソースを未利用状態に設定する。
【０００５】
しかし、上記のリソース割り当て方法によると、ＰＵＣＣＨの復調機能がその利用されたリソースの位置と関連付けられていて、上記のリソース割り当て方法においてリソースを順に割り当てる又はランダムに割り当てる方法を採用しているので、ＰＵＣＣＨの復調機能が最適化されていない問題がある。そして、上記のリソース割り当て方法によると、ＵＥにリソースを割り当てるたびに、未利用のリソースが一つ検索されるまで、先端から検索を行う必要があるので、リソースプールを絶えずに検索しなければならなく、システムを複雑化している。
【発明の概要】
【発明が解決しようとする課題】
【０００６】
本発明は、少なくとも上記の問題を解決できるＰＵＣＣＨの無線リソース割り当て方法及び無線リソース管理装置を提供することをその目的としている。
【課題を解決するための手段】
【０００７】
本発明に係る一方面は、無線リソース管理装置によりリソースプールを生成するステップと、無線リソース管理装置により、リソースプール中のＰＵＣＣＨリソースをその生成順に応じて配列し、ポインタを一番目のＰＵＣＣＨリソースにセットするステップと、無線リソース管理装置により、現在ポインタがセットされているＰＵＣＣＨリソースを端末に割り当て、ポインタを次のＰＵＣＣＨリソースにセットするステップと、を含む物理アップリンク制御チャンネルＰＵＣＣＨの無線リソース割り当て方法を提供する。
【０００８】
本発明に係る他の一方面は、リソースプールを生成するリソースプール生成ブロックと、リソースプールにおける物理アップリンク制御チャンネルＰＵＣＣＨのリソースをその生成順に応じて配列し、ポインタを一番目のＰＵＣＣＨリソースにセットする配列ブロックと、現在ポインタがセットされているＰＵＣＣＨリソースを端末に割り当て、ポインタを次のＰＵＣＣＨリソースにセットする割り当てブロックと、を含む無線リソース管理装置を提供する。
【発明の効果】
【０００９】
本発明において、無線リソース管理装置は、ポインタを設置することによって、ＵＥにＰＵＣＣＨリソースを一つ割り当てた後、ポインタを次のＰＵＣＣＨリソースにセットし、次のＵＥにリソースを割り当てる場合、現在ポインタがセットされているＰＵＣＣＨリソースを割り当てるだけで済むので、関連技術におけるリソースプールを耐えずに検索しなければならなく、システムを複雑化した問題を解決し、割り当てるたびにリソースを検索する必要がなくなり、リソース検索の時間を節約し、リソース検索が簡単になり、システムの複雑度を大幅に低減し、リソースが最適の順に生成されるので、ＰＵＣＣＨの復調機能を向上させることができる。
【図面の簡単な説明】
【００１０】
ここで説明する図面は本発明を理解させるためのもので、本発明の一部を構成し、本発明における実施例と共に本発明を解釈し、本発明を不当に限定するのではない。
【図１】図１は、本発明の実施例に係わる物理アップリンク制御チャンネルの無線リソース割り当て方法を示すフローチャートである。
【図２】図２は、本発明の好適な実施例に係わる物理アップリンク制御チャンネルの無線リソース割り当て方法を示すフローチャートである。
【図３】図３は、本発明の実施例に係わる無線リソース管理装置の構造を示す図である。
【図４】図４は、本発明の好適な実施例に係わる無線リソース管理装置の構造を示す図である。
【発明を実施するための形態】
【００１１】
以下、図面を参照しつつ、実施例を結合して本発明を詳しく説明する。ここで、互いに衝突しない限り、本発明における実施例及び実施例に記載の特徴を組み合わせることができる。
【００１２】
図１は、本発明の実施例に係わる物理アップリンク制御チャンネルの無線リソース割り当て方法を示すフローチャートである。当該方法は、
無線リソース管理装置によりリソースプールを生成するステップＳ１０２と、
無線リソース管理装置により、リソースプール中のＰＵＣＣＨリソースをその生成順に従って配列し、ポインタを一番目のＰＵＣＣＨリソースにセットするステップＳ１０４と、
無線リソース管理装置により、現在ポインタがセットされているＰＵＣＣＨリソースを端末に割り当て、ポインタを次のＰＵＣＣＨリソースにセットするステップＳ１０６とを含む。
【００１３】
該実施例において、無線リソース管理装置は、ポインタを設置することによって、ＵＥにＰＵＣＣＨリソースを一つ割り当てた後、ポインタを次のＰＵＣＣＨリソースにセットし、次のＵＥにリソースを割り当てる場合、現在ポインタがセットされているＰＵＣＣＨリソースを該ＵＥに割り当てるだけで済むので、関連技術におけるリソースプールを耐えずに検索しなければならなくシステムが複雑化される問題を解決できる。該実施例によると、割り当てるたびにリソースプールの検索を行う必要がないので、リソース検索時間を節約し、リソースの検索が簡単になり、システムの複雑度を大幅に低減できる。
【００１４】
ステップＳ１０２は、無線リソース管理装置によりＰＵＣＣＨのコード分割リソースと、周波数分割リソースと時間分割リソースとを組み合わせてリソースプールを生成することを含むことが好ましい。
【００１５】
その中、無線リソース管理装置により、ＰＵＣＣＨのコード分割リソースと、周波数分割リソースと、時間分割リソースとを組み合わせてリソースプールを生成するステップは、
下式に従って、シグナリング類型に対応するコード分割リソースと、周波数分割リソースと、時間分割リソースとを組み合わせてＰＵＣＣＨリソースＳを生成することと、
生成された全てのＰＵＣＣＨリソースＳでリソースプールを形成することと、
を含み、
2013521731.tif 000003
又は
2013521731.tif 000004
ここで、Ｒは周波数分割リソースで、Ｔは時間分割リソースで、Ｕはコード分割リソースで、ＳはＰＵＣＣＨリソースである。
【００１６】
該実施例は、無線リソース管理装置によりＰＵＣＣＨリソースを生成してリソースプールを形成する具体的な実施形態を提供する。無線リソース管理装置は、機能最適の方法にて、コード分割リソースと、周波数分割リソースと、時間分割リソースとを組み合わせて、順にＰＵＣＣＨリソースＳを生成し、リソースの生成順に従ってリソースの割り当てを行うことによって、関連技術におけるＰＵＣＣＨの復調機能が最適化されていない問題を解決し、リソースの交替割り当てを実現し、物理アップリンク制御チャンネルの復調機能を向上させることができる。
【００１７】
ステップＳ１０４は、無線リソース管理装置によりリソースプール中の各ＰＵＣＣＨリソースをその生成順に従って配列することと、無線リソース管理装置により、単調順（例えば、単調増加の順又は単調減少の順）で配列後のＰＵＣＣＨリソースに順番を付けることと、無線リソース管理装置によりポインタを順番が開始順番であるＰＵＣＣＨリソースにセットすることを含むことが好ましい。
【００１８】
該好適な実施例は、無線リソース管理装置により生成順に従って各ＰＵＣＣＨリソースに順番をつける具体的な実施形態を提供する。
【００１９】
上述の方法において、端末がＰＵＣＣＨリソースをリリーズすることと、無線リソース管理装置によりリリーズされたＰＵＣＣＨリソースを回収プールに移入することを更に含むことが好ましい。従って、引き続きのリソースの回収のための準備が整っている。該回収プールは、端末によってリリーズされるリソースを格納するため予め割り当てた格納空間である。
【００２０】
上述の方法において、リソースプール中の残留したＰＵＣＣＨリソースの数が所定の数に達した場合、無線リソース管理装置により回収プール中のＰＵＣＣＨリソースをその順番に応じて単調順に配列することと、無線リソース管理装置により配列後の回収プール中のＰＵＣＣＨリソースをリソースプールに合併することを更に含むことが好ましい。
【００２１】
該実施例は、リソース回収の具体的な実施形態を提供する。リソースプール中の残留したリソースの数が所定の数に達した場合、回収プール中のリソースをリソースプールに合併して再利用することができるので、物理アップリンク制御チャンネルのリソースを浪費することがなく、システムにおける物理アップリンク制御チャンネルの復調機能を最適化できる。
【００２２】
その中、無線リソース管理装置により配列後の回収プール中のＰＵＣＣＨリソースをリソースプールに合併することは、配列後の回収プール中のＰＵＣＣＨリソースを無線リソース管理装置によりリソースプールにおける現在ポインタがセットされているＰＵＣＣＨリソースの前に移動することと、無線リソース管理装置によりポインタを合併後のリソースプールにおける一番目のＰＵＣＣＨリソースにセットすることと、を含む。
【００２３】
該好適の実施例において、合併する前に配列を行うので、配列後の回収プールにおけるＰＵＣＣＨリソースを直接ポインタの前に移動し、ポインタを合併後のリソースプールにおける一番目のリソースにセットすることによって、リリーズされたリソースの再利用が実現でき、システムにおける物理アップリンク制御チャンネルの復調機能を最適化できる。
【００２４】
その中、現在ポインタがセットされているＰＵＣＣＨリソースの順番が所定の順番に達したか否かを判断する形態で、リソースプール中の残留したＰＵＣＣＨリソースの数が所定の値に達したか否かを判断する。
【００２５】
該実施例は、リソースプール中の残留したＰＵＣＣＨリソーズの数が所定の値に達したか否かを判断する具体的な形態を提供する。例えば、リソースプールにおけるＰＵＣＣＨリソースに１から単調増加する順に順番を付けると、ＰＵＣＣＨリソースの総量がＮ（この時、最大順番もＮである）とする場合、上述の所定の数は[Ｎ/２]（[]は整数取りの符号である）で、上述の所定の順番は[Ｎ/２]であることができる。具体的には、リソースプールにおけるＰＵＣＣＨリソースの総量が１２０である場合、該所定の数は６０で、所定の順番は６０であって、リソースプールにおけるＰＵＣＣＨリソースの総量が１２１である場合、該所定の数は６０で、所定の順番は６０である。
【００２６】
無線リソース管理装置がＵＥにＰＵＣＣＨリソースを割り当てることによって、基地局の制御チャンネルが優れた復調機能を具備し、リソースの検索が簡単で、制御チャンネルリソースの浪費を防止することができる。
【００２７】
本発明による物理アップリンク制御チャンネルの無線リソースの割り当て方法は、
無線リソース管理装置はコード分割、周波数分割、時間分割に基づいて組み合わせてリソースプールを生成し、各リソースに単調順で順番を付け、ポインタを最初のリソースにセットするステップ１と、
ＵＥにリソースを割り当てる場合、無線リソース管理装置はリソースプールにおける現在ポインタがセットされているリソースを該ＵＥに割り当て、ポインタを次のリソースにセットするステップ２と、
あるＵＥによりリソースがリリーズされた場合、無線リソース管理装置は該リソースを回収プールに移入するステップ３と、
ポインタがリソースプール中のある特定の位置にセットされている場合、リソースを合併し、具体的には、無線リソース管理装置は、回収プール中のリソースをその順番に応じてステップ１での単調順に従って配列し、配列後のリソースをリソースプール中のポインタがセットされているリソースの前に移動し、ポインタを合併後のリソースの開始位置にセットするステップ４によって実現される。
【００２８】
実施例１
ＬＴＥの物理アップリンク制御チャンネルにおいて、ｅＮｏｄｅＢ（基地局）はアクセスされたＵＥにＣＱＩ転送用のリソースを割り当てる必要がある。図２に示すように、以下のステップ１ないし４を含む。
【００２９】
ステップ１おいて、下式（１）に従ってＣＱＩのリソースプールを生成する：
2013521731.tif 000005
【００３０】
（１）
その中、ＲはＣＱＩの周波数分割リソースで、その値は１、２、３、４であって、ＴはＣＱＩの時間分割リソースで、その値は１、２、３、４であって、ＵはＣＱＩのコード分割リソースで、その値は１、２、３、４、５、６、７、８、９、１０、１１、１２であって、上記のＲ、Ｔ、Ｕの全ての値に至って全てのＳを得てリソースプールを形成する。該リソースプールにおけるリソースに１から単調増加の順に順番を付け、ポインタを順番が１であるリソースにセットする。
【００３１】
上記のＲの値が１、２、３、４であると言うことは、利用可能な全ての周波数分割リソース（ＲＢ）から４個のＲＢを選択し、４個のＲＢの順番の順に従って再び番号付けを行って、その番号で該リソースブロックを表示することを指す。ＴとＵも類似するので、詳しい説明を省略する。以下も同じである。
【００３２】
その中、リソースを生成する場合、復調の最適化に適合する順で周波数分割リソースと、時間分割リソースと、コード分割リソースとに対して値を混合取得する。
【００３３】
ステップ２においては、ＵＥにリソースを一つ割り当てる必要がある場合、ポインタがセットされているリソースを該ＵＥに割り当て、ポインタを次のリソースにセットする。
【００３４】
ステップ３において、一つのＵＥからリソースがリリーズされる場合、無線リソース管理装置は該ＵＥによりリリーズされたリソースを回収プールに移動する。
【００３５】
ステップ４においては、ポインタがセットされたリソースの順番が最大順番Ｎの半分、即ち[Ｎ/２]である場合、回収プールにおけるリソースをその順番に応じて小さい順に配列し、配列後のリソースをリソースプールに移動すると共に、ポインタを配列後のリソース中の順番が最も小さいリソースにセットする。
【００３６】
実施例２
ＬＴＥの物理アップリンク制御チャンネルにおいて、ｅＮｏｄｅＢはアクセスされたＵＥにＳＲ転送用のリソースを割り当てる必要がある。図２に示すように、ステップ１〜４を含む。
【００３７】
ステップ１においては、下式（２）に従ってＳＲのリソースプールを生成する。
2013521731.tif 000006
【００３８】
（２）
ここで、ＲはＳＲの周波数分割リソースで、その値は１であって、ＴはＳＲの時間分割リソースを表示し、その値は１、２、３、４であって、ＵはＳＲのコード分割リソースで、その値は１〜１８であって、上記Ｒ、Ｔ、Ｕの全ての値に至って全てのＳを得てリソースプールを形成する。該リソースプールにおけるリソースに１から単調増加する順に順番を付け、ポインタを順番が１であるリソースにセットする。
【００３９】
その中、リソースを生成する際、復調の最適化に適合する順で周波数分割リソースと、時間分割リソースと、コード分割リソースとに対して値を混合取得する。
【００４０】
ステップ２において、ＵＥにリソースを一つ割り当てる必要がある場合、ポインタがセットされているリソースを該ＵＥに割り当て、ポインタを次のリソースにセットする。
【００４１】
ステップ３において、一つのＵＥによりリソースがリリーズされる場合、無線リソース管理装置は該ＵＥによりリリーズされたリソースを回収プールに移入する。
【００４２】
ステップ４において、ポインタがセットされたリソースの順番が最大順番Ｎの半分、即ち[Ｎ/２]である場合、回収プールにおけるリソースを順番の小さい順に配列し、配列後のリソースをリソースプール中に移入すると共に、ポインタを配列後の順番の最も小さいリソースにセットする。
【００４３】
上記の実施例１及び実施例２において、周波数分割リソースと、時間分割リソースと、コード分割リソースとの値ｉは第ｉ個のリソースブロックであることを表示する。
【００４４】
図３は、本発明の実施例に係わる無線リソース管理装置の構造を示す図である。
【００４５】
図３に示すように、該無線リソース管理装置は、リソースプールを生成するリソースプール生成ブロック１０と、リソースプールにおけるＰＵＣＣＨリソースをその生成順に応じて配列し、ポインタを一番目のＰＵＣＣＨリソースにセットする配列ブロック２０と、現在ポインタがセットされているＰＵＣＣＨリソースを端末に割り当て、ポインタを次のＰＵＣＣＨリソースにセットする割り当てブロック３０と、を含む。
【００４６】
その中、リソース生成ブロック１０はＰＵＣＣＨのコード分割リソースと、周波数分割リソースと、時間分割リソースとを組み合わせて上記リソースプールを生成する。
【００４７】
図４に示すように、リソースプール生成ブロック１０は、下式に従ってシグナリングの類型に対応するコード分割リソースと、周波数分割リソースと、時間分割リソースとを組み合わせてＰＵＣＣＨリソースＳを生成する組合ブロック１０２と、組合ブロック１０２により生成された全てのＰＵＣＣＨリソースＳを格納するリソースプール１０４と、を含むことが好ましく、
2013521731.tif 000007
又は
2013521731.tif 000008
【００４８】
ここで、Ｒは周波数分割リソースで、Ｔは時間分割リソースで、Ｕはコード分割リソースで、ＳはＰＵＣＣＨリソースである。
【００４９】
配列ブロック２０は、リソースプール１０４における各ＰＵＣＣＨリソースをその生成順に応じて配列するリソース配列ブロック２０２と、単調順（単調増加又は単調減少の順）で配列後のＰＵＣＣＨリソースに順番を付ける順番付けブロック２０４と、ポインタを順番が開始順番であるＰＵＣＣＨリソースにセットするポインタブロック２０６と、を含むことが好ましい。
【００５０】
該無線リソース管理装置は、端末によりリリーズされたＰＵＣＣＨリソースを格納する回収プール４０を、更に含むことが好ましい。
【００５１】
該無線リソース管理装置は、リソースプール中に残留したＰＵＣＣＨリソースの数が所定の量に達した場合、回収プール４０中のＰＵＣＣＨリソースをその順番に応じて上記の単調順（即ち、順番付けブロック２０４に用いられた単調順に一致する順）で配列する回収リソース配列ブロック５０と、配列後の回収プール４０におけるＰＵＣＣＨリソースをリソースプール１０４に合併する合併ブロック６０と、を更に含むことが好ましい。
【００５２】
合併ブロック６０は、配列後の回収プール中のＰＵＣＣＨリソースをリソースプールにおける現在ポインタがセットされているＰＵＣＣＨリソースの前に移入する移入ブロック６０２を含み、ポインタブロック２０６は、更に、移入ブロック６０２により配列後の回収プール中のＰＵＣＣＨリソースをリソースプールにおける現在ポインタがセットされているＰＵＣＣＨリソースの前に移動した後、ポインタを合併後のリソースプールにおける一番目のＰＵＣＣＨリソースにセットすることが好ましい。
【００５３】
回収リソース配列ブロック５０は、現在ポインタがセットされているＰＵＣＣＨリソースの順番が所定の順番に達したか否かを判断する形態で、リソースプール１０４中の残留したＰＵＣＣＨリソースの数が所定の数に達したか否かを判断することが好ましい。
【００５４】
上述のように、本発明によると、
（１）無線リソース管理装置は、ＰＵＣＣＨリソースを順に生成し、ＵＥにＰＵＣＣＨリソースを一つ割り当てた後、ポインタを次のＰＵＣＣＨリソースにセットし、次のＵＥにリソースを割り当てる場合、現在セットされているＰＵＣＣＨリソースを該ＵＥ次のＵＥに割り当てることで済むので、割り当てるたびにリソースを検索する必要がなくなり、リソース検索の時間を節約できる。
【００５５】
（２）無線リソース管理装置は、機能の最適の方法に応じてＰＵＣＣＨリソースを順に生成し、リソースの生成順に応じてリソースを割り当てることによって、物理アップリンク制御チャンネルの復調機能を向上させることができる。
【００５６】
（３）無線リソース管理装置は、端末によりリリーズされたＰＵＣＣＨリソースを回収し配列することによって、システムにおける物理アップリンク制御チャンネルの復調機能を最適化することができる。
【００５７】
当業者にとって、上述の本発明の各モジュール又は各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの夫々をそれぞれ集積回路ブロックに製作し、又はそれらにおける複数のモジュール又はステップを単独の集積回路モジュールに製作して実現することができることは明らかなことである。このように、本発明は如何なる特定のハードウェアとソフトウェアの結合にも限定されない。
【００５８】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013521731.tif 000011
【図２】
2013521731.tif 000012
【図３】
2013521731.tif 000013
【図４】
2013521731.tif 000014
【国際調査報告】
2013521731.tif 000015
2013521731.tif 000016
2013521731.tif 000017
2013521731.tif 000018